(57)【要約】      （修正有）【課題】モジュール支持体及びパネル形成片の双方を着脱可能に締結し、備え付け時間を削減すること。【解決手段】締結装置は、締結クリップ１２と、締結クリップ１２を受け入れる開口部を有するモジュール支持体部分とを備え、締結クリップ１２は、軸１８と、軸に形成されたヘッド部分２０とを有している。ヘッド部分２０の下方にて軸１８には、係止要素２２が設けられており、該係止要素は、モジュール支持体部分の開口部内に係合し且つ、締結クリップ１２をモジュール支持体部分上にて固定する。締結装置は、モジュール支持体及びパネル形成片を自動車のドア板のような未加工構成要素上に締結するため使用される。【選択図】図１
2008202786.tif 000002
【特許請求の範囲】
【請求項１】
締結装置、特に、モジュール支持体及びパネル形成片を自動車の未加工構成要素上に締結する締結装置において、
締結クリップと、締結クリップを受け入れる開口部を有するモジュール支持体部分とを備え、前記締結クリップは、軸と、軸に形成されたヘッド部分とを有し、ヘッド部分の下方にて軸上に係止要素が設けられ、前記係止要素は、モジュール支持体部分の開口部内に係合し且つ、締結クリップをモジュール支持体部分上にて固定する、締結装置。
【請求項２】
請求項１に記載の締結装置において、
軸は、未加工構成要素のボア内に取り付けられる１つ又はより多くのディテント要素（ｄｅｔｅｎｔ  ｅｌｅｍｅｎｔｓ）を有する、締結装置。
【請求項３】
請求項１に記載の締結装置において、
係止要素は、軸から半径方向に突き出す１つ又はより多くの突起により形成される、締結装置。
【請求項４】
請求項１に記載の締結装置において、
ヘッド部分は、ヘッド部分の開口部を密封する周縁シールを有するディスク形状要素を備える、締結装置。
【請求項５】
請求項１に記載の締結装置において、
ヘッド部分は、パネル形成部分の締結要素の取り付け部を備える、締結装置。
【請求項６】
請求項１に記載の締結装置において、
ヘッド部分は、外端縁を有する駆動部分を備える、締結装置。
【請求項７】
請求項１に記載の締結装置において、
モジュール支持体部分は、係止要素に対する停止部を有する、締結装置。
【請求項８】
請求項１に記載の締結装置において、
モジュール支持体部分は、未加工構成要素に対して緊密に当接するフランジを備える、締結装置。
【請求項９】
請求項１に記載の締結装置において、
モジュール支持体部分の開口部は、係止要素の形状に相応する、締結装置。
【請求項１０】
請求項１に記載の締結装置において、
締結クリップ及びモジュール支持体部分は、予め組み立てたユニットを形成する、締結装置。
【請求項１１】
請求項５に記載の締結装置において、
パネル形成部分に対する締結要素は、ヘッド部分の取り付け部内に係合するピン形状部分を有する、締結装置。
【請求項１２】
請求項１１に記載の締結装置において、
軸は、ヘッド部分の取り付け部に相応するキャビティを有し、
締結要素のピン形状部分は前記キャビティ内に係合する、締結装置。
【請求項１３】
請求項１１に記載の締結装置において、
ピン形状部分は、ピン形状部分をヘッド部分の取り付け部内に固定するためのディテントリングを有する、締結装置。
【請求項１４】
請求項１１に記載の締結装置において、
ピン形状部分は、ピン形状部分をモジュール支持体の開口部に対して密封するシールを有する、締結装置。
【請求項１５】
請求項１３に記載の締結装置において、
ディテントリングは、ピン形状部分をヘッド部分の取り付け部に対して密封する密封リップ部を有する、締結装置。
【請求項１６】
請求項５に記載の締結装置において、
締結クリップ及びモジュール支持体部分は、プラスチックにて形成される、締結装置。
【請求項１７】
請求項１に記載の締結装置において、
パネル形成部分の締結要素は、許容公差の均等化手段を備えるヘッド部分を有する、締結装置。
【発明の詳細な説明】
【技術分野】
【０００１】
本発明は、特に、モジュール支持体及びパネル形成片を自動車のドア板のような未加工構成要素上に締結する締結装置に関する。
【背景技術】
【０００２】
モジュール支持体は、通常、例えば、窓レバーのような、車のドア内に一体化された、機械的及び（又は）電気的操作及び制御モジュールを締結する作用を果たす。現在、使用されているモジュール支持体は、金属盲リベットにより車のドアの未加工構成要素に締結されるアルミニウム部品である。この型式の締結を通じて、モジュールの支持体の震動が生じ、その結果、緊密性の欠如が生じる可能性がある。
【０００３】
内側ドアライニングを車のドアの未加工構成要素に締結することは、通常、ライニング又はパネル形成片に取り付けられ且つ、未加工構成要素と脱着可能に接続された締結要素によって行われる。
【発明の開示】
【発明が解決しようとする課題】
【０００４】
本発明の１つの目的は、モジュール支持体及びパネル形成片の双方をドア板のような、車の未加工構成要素上に脱着可能な態様にて共に締結し、また、モジュール支持体及びドアの内側パネル形成部を締結する間、加工ステップを簡略化することを通じて、備え付け時間、このため、備え付けコストを削減することができるようにする締結装置を提供することである。
【０００５】
本発明に従って、締結装置は、締結クリップと、締結クリップを受け入れる開口部を有するモジュール支持体部分とを備え、締結クリップは、軸と、軸に形成されたヘッド部分とを有している。ヘッド部分の下方にて軸には係止要素が設けられており、該係止要素は、モジュール支持体部分の開口部内に係合し且つ、締結クリップをモジュール支持体部分上にて固定する。
【課題を解決するための手段】
【０００６】
１つの好ましい実施の形態において、本発明は、車体に締結し、特に、車体の未加工構成要素のボア内に取り付けるため、締結クリップの下側部分にディテント要素を有し、また、締結クリップのヘッド部分に取り付けボアを有し、ドアパネル形成部を保持するピン形状の締結要素と係合するディテント要素を更に備える多数部品締結装置を提供するものである。モジュール支持体部分は、プラスチックにて形成することができる。本発明に従った締結装置は、多数回の非破壊的分解を可能にする。更に、モジュール支持体及びドアパネル形成部を締結する間、加工ステップを簡略化することにより、備え付け時間、従って、備え付けコストが削減される。
【０００７】
本発明の好ましい実施の形態は、従属請求項に記載されている。特に、締結クリップにおける係止要素は、軸から半径方向に突き出す１つ又はより多くの突起により形成することができる。これにより、締結クリップをバイオネットロックの形態にてモジュール支持体に迅速に且つ安全に固定することが可能である。
【０００８】
締結クリップのヘッド部分は、ヘッド部分の開口部を密封する周縁シールを有するディスク形状要素を備えている。更に、ヘッド部分は、パネル形成部分の締結要素の取り付け部と、外端縁を有する駆動部分とをそれぞれを備えることができる。
【０００９】
モジュール支持体部分の開口部は、締結クリップの軸における係止要素の形状に相応することが好ましい。更に、モジュール支持体部分は、係止要素に対する停止部を有することができる。モジュール支持体部分は、また、車体の未加工構成要素に対して緊密に当接するフランジを備えることも好ましい。
【００１０】
締結クリップ及びモジュール支持体部分は、組立体の車内への取り付けが著しく容易となるように、予め組み立てたユニットを形成することが好ましい。
更に、パネル形成部分の締結要素は、ヘッド部分の取り付け部内に係合するピン形状部分を有することが好ましい。締結クリップの軸は、ヘッド部分の取り付け部に相応するキャビティを有し、締結要素のピン形状部分は、キャビティ内に係合する。更に、ピン形状部分は、ピン形状部分をヘッド部分の取り付け部内に固定するためのディテントリングを有することが好ましい。
【００１１】
ピン形状部分は、ピン形状部分をモジュール支持体の開口部に対して密封するシールを有することができる。ディテントリングは、ピン形状部分をヘッド部分の取り付け部に対して密封する密封リップ部を有することが好ましい。
【００１２】
締結クリップ及びモジュール支持体部分は、プラスチックにて形成されることが好ましい。このことは、射出成形法により簡単に且つ経済的に製造することに寄与する。最後に、パネル形成部分に対する締結要素は、また、許容公差の均等化手段を備えるヘッド部分を有することもできる。
【発明を実施するための最良の形態】
【００１３】
本発明に従った締結装置の１つの好ましい実施の形態が添付図面、図１ないし図９に示されている。本発明に従った締結装置は、締結クリップ１２と、モジュール支持体部分１４とを備えている。締結クリップ１２を受け入れる開口部１６がモジュール支持体部分１４に設けられている。締結クリップ１２は、軸１８と、軸に形成されたヘッド部分２０とを有している。ヘッド部分２０の下方にて、係止要素２２が軸１８に設けられており、該係止要素２２は、モジュール支持体部分１４の開口部１６内に係合し且つ、締結クリップ１２をモジュール支持体部分１４上にて固定する（図１ないし図３）。
【００１４】
係止要素２２は、軸１８から半径方向に突き出す１つ又はより多くの突起により形成されることが好ましい。締結クリップ１２のヘッド部分２０は、周縁シール２６を有するディスク形状要素２４を更に備えることができる。組み立てた状態において、モジュール支持体１４の開口部１６は、ディスク形状要素及び取り囲むシール２６により密封されている。
【００１５】
ヘッド部分２０において、パネル形成部分（図示せず）の締結要素（参照番号３０で表示）に対する取り付け部２８が形成される。更に、ヘッド部分は、図示した実施の形態にて八角体として形成された外端縁を有する駆動部分３２を備えている。モジュール支持体部分１４内に導入される締結クリップ１２は、駆動部分を介して回転され且つ、モジュール支持体部分１４上にて係止することができる。停止部３４がモジュール支持体部分１４の下側部に形成されることが好ましく、該停止部３４は、係止要素２２の回転の限界点を画し且つ、モジュール支持体部分１４における締結クリップ１２の位置を規定する。
【００１６】
図４に示したように、締結クリップ１２は、モジュール支持体部分１４と予め組み立てたユニットとしてドア板３８のボア３６内に挿入される。モジュール支持体１４は、軸１８上のディテント要素４０を介してドア板３８のボア３６内にて締結クリップ１２により保持されている。モジュール支持体１４は、フランジ４２を有しており、該フランジにより、モジュール支持体は、組み立てた状態にてドア板３８に対して緊密に位置する。
【００１７】
パネル形成部分の締結要素３０は、ピン形状部分４４を備えており、該ピン形状部分により、締結要素は締結クリップ１２のヘッド部分２０の取り付け部２８内に係合する。締結要素３０の中心決めは、取り付け部２８の面取り加工部分４６を介して行われる。
【００１８】
締結要素のピン形状部分４４は、ディテントリング４８を更に有しており、該ディテントリングにより、ピン形状部分４４はヘッド部分の取り付け部２８内にて固定される。ディテントリングには、ピン形状部分４４をヘッド部分１２の取り付け部２８に対して密封する密封リップ部５０を更に設けることができる。更に、ピン形状部分４４は、Ｏリングの形態をした密封リング５２を有しており、該密封リング５２は、取り付けた状態において、ピン形状部分４４をモジュール支持体の開口部１６に対して密封する。
【００１９】
最後に、締結要素３０は、図９に示したように、ドアパネル形成部のドッグハウスの許容公差を均等にするため、参照番号５８にて示した許容公差の均等化手段を有するヘッド部分を備えることができる。
【００２０】
図９を参照すると、参照番号３２は、ヘッド部分２０の駆動部分を示す。駆動部分は、八角体として形成され且つ締結クリップをモジュール支持体内に取り付ける作用を果たす。締結クリップの停止部は、参照番号５４にて表示されている。
【００２１】
締結要素のピン形状部分を締結クリップ１２に対してディテントする部分は、参照番号５６にて示されている。締結要素の予想される引き出し力は約１３０Ｎである。
参照番号５２は、締結要素３０を取り付けた状態にて締結クリップ１２に対して密封する締結要素３０におけるシールを示す。
【００２２】
図９を再度参照すると、締結クリップ１２は、締結クリップ１２を取り付けた状態にてモジュール支持体部分1４に対して密封する周縁シール２６を有している。
参照番号６０は、最終の取り付け位置にてディテント要素４０を締結要素３０により固定する部分を示す。ドア板からの締結クリップ１２の予想される引き出し力は約２５０Ｎを超える。締結クリップ１２から締結要素３０を引き出す力は、ドア板からの締結クリップ１２の引き出し力よりも小さくなければならない。
【図面の簡単な説明】
【００２３】
【図１】本発明に従った締結装置の締結クリップ及びドアライニング用のピン形状の締結要素の図である。
【図２】２ａは、締結クリップをモジュール支持体の開口部内に導入する状態を示す図である。
【００２４】
２ｂは、締結クリップが導入されたモジュール支持体の下側から見た図である。
【図３】締結クリップを開口部内にて八角体を介して９０°、停止部まで時計方向に回転させることにより締結クリップをモジュール支持体上にて係止する状態を示す図である。
【図４】ディテント要素によって締結クリップと共にモジュール支持体をドア板の開口部内に備え付ける状態を示す図である。
【図５】ドア板に予め組み立てられたモジュール支持体の概略図である。
【図６】予め組み立てたピン型締結要素と共にドアパネル形成部（図示せず）をモジュール支持体内に備え付ける状態を示す図である。
【図７】面取り加工部分を有する締結クリップのヘッド部分内の取り付け部を介してピン形状締結要素をモジュール支持体内にて中心決めする状態を示す図である。
【図８】ドアパネル形成部に対するピン形状締結要素がモジュール支持体及びドア板上に座す状態を示す概略図である。
【図９】本発明に従った締結装置の個別の形成要素を機能的に説明する断面図である。
【符号の説明】
【００２５】
１２    締結クリップ
１４    モジュール支持体部分
１６    開口部
１８    軸
２０    ヘッド部分
２２    係止要素
２４    ディスク形状要素
２６    周縁シール
２８    取り付け部
３０    締結要素
３２    駆動部分
３４    停止部
３６    ボア
３８    ドア板
４０    ディテント要素
４２    フランジ
４４    ピン形状部分
４６    面取り加工部分
４８    ディテントリング
５０    密封リップ部
５２    密封リング
５４    停止部
５６    ディテント部
５８    ヘッド部分
６０    固定部
【図１】
2008202786.tif 000003
【図２】
2008202786.tif 000004
【図３】
2008202786.tif 000005
【図４】
2008202786.tif 000006
【図５】
2008202786.tif 000007
【図６】
2008202786.tif 000008
【図７】
2008202786.tif 000009
【図８】
2008202786.tif 000010
【図９】
2008202786.tif 000011
【外国語明細書】
2008202786000001.pdf